(57)【要約】【課題】容易な開閉操作を実現できるとともに、設計上の制約を減らし高い施工性を確保できる開閉ユニットを提供する。【解決手段】実施形態にかかる開閉ユニットは、折曲により開閉する折戸に設けられる開閉ユニットであって、前記折戸の折曲部の両側を連結するとともに曲変形可能な連結部材と、前記折戸を展開状態に保持するとともに前記保持が解除可能に構成されたロック機構と、を備える。【選択図】図４
2014029103.tif 000002
【特許請求の範囲】
【請求項１】
折曲により開閉する折戸に設けられる開閉ユニットであって、
前記折戸の折曲部の両側を連結するとともに曲変形可能な連結部材と、
前記折戸を展開状態に保持するとともに前記保持が解除可能に構成されたロック機構と、
を備える開閉ユニット。
【請求項２】
前記折戸が折り畳まれる方向に付勢する付勢機構を備え、
前記連結部材は、その一端側が前記折戸の内側に回動可能に連結されるとともに他端側同士が互いに回動可能に連結された一対の連結片を有し、
前記付勢機構は、前記連結片と前記折戸との角度を広げる方向に付勢するばね部材を備え、
前記ロック機構は、前記折戸が展開されて前記折戸と前記連結片とが近接する第１状態を保持可能であって、前記折戸の押圧操作によりその係合状態が切り替え可能なプッシュ式のラッチ機構を備え、
前記連結片は前記折戸との間に菱形状の空間を囲むリンク機構を構成し、前記連結部材の曲変形に伴い各連結片が回動することで、一対の前記連結片と前記折戸との角度が小さく前記折戸が展開される第１状態と、前記連結片と前記折戸との角度が大きく前記折戸が折り畳まれる第２状態とで、変形可能であることを特徴とする請求項１記載の開閉ユニット。
【請求項３】
前記折戸が折り畳まれる方向に付勢する付勢機構を備え、
前記連結部材は、前記折戸の折曲部の両側の内側面にそれぞれ固定される一対の固定片と、一対の前記固定片にそれぞれ回動可能に連結されることで前記固定片を介して前記折戸に連結されるとともに互いに回動可能に連結される一対の連結片と、を備え、
前記付勢機構は、前記固定片と前記連結片との連結部における角度を広げる方向に付勢するばね部材を備え、
前記ロック機構は、前記固定片及び前記連結片におけるいずれか一方に設けられたストライカと、前記固定片及び前記連結片におけるいずれか他方に設けられ前記ストライカと係合及び係合解除可能に構成されたラッチと、を有し、前記折戸の押圧操作によってその係合状態が切り替え可能なプッシュ式のラッチ機構を備え、
前記固定片を前記折戸の内側面に取り付けることで前記折戸に設置可能であることを特徴とする請求項１または２記載の開閉ユニット。
【請求項４】
前記ロック機構が係合された状態で、前記折戸に折曲方向に所定以上の荷重が加わった際に、前記連結部材と前記ロック機構とを離脱可能とする係合手段を備えることを特徴とする請求項１乃至３のいずれかに記載の開閉ユニット。
【請求項５】
請求項２乃至４のいずれかに記載の開閉ユニットと、
折畳可能に連結された複数の戸板部を有するとともに、その折曲部の内側に前記開閉ユニットが設けられ、
前記折戸が展開して複数の前記戸板部が第１方向に沿って配される第１状態が、前記ロック機構の係合によって保持され、
前記ロック機構の係合が解除されると、前記付勢機構の付勢力により、前記連結部材が曲変形するとともに、前記折戸が折畳まれ複数の前記戸板部が前記第１方向に対して起立する第２状態となることを特徴とする折戸。
【発明の詳細な説明】
【技術分野】
【０００１】
本発明は、折戸の開閉動作を補助する開閉ユニットおよび折戸に関する。
【背景技術】
【０００２】
クローゼットや戸棚の扉等に、折曲により開閉する折戸が利用されている。折戸は例えば一対の戸板が互いに回動可能に連結されて折曲変形可能に構成され、各戸板の端部が戸枠に設けられたレールに沿って往復移動可能に係合している。
【０００３】
一般的に、戸板が戸枠に沿う閉戸状態から戸板の折曲部近傍の表面に設けられた取っ手を引っ張ることにより、一対の戸板が折り畳まれるように回動し、レールに対して戸板が起立した姿勢になることで、戸枠に囲まれた空間を開放する開状態となる。
【０００４】
反対に、戸板が起立した開戸状態から戸板の折曲部近傍の表面を押圧することにより、一対の戸板が展開するように回動し、戸板がレールに沿う姿勢となることで、戸枠に囲まれた空間を塞ぐ閉状態となる。
【０００５】
このような折戸において開閉操作を容易にするために、例えば一対の戸板の折曲部の対向面に伸縮する係合構造を埋設し、戸板の押圧操作により開閉動作を補助するプッシュオープン式の開閉アシスト機構を設けたものも提供されている。
【先行技術文献】
【特許文献】
【０００６】
【特許文献１】特開２００９-１９１５０８号公報
【発明の概要】
【発明が解決しようとする課題】
【０００７】
取手の操作により開閉する構造では、開閉操作が煩雑であり、戸板の設計上の制約が多い。また、戸板の対向面に埋設する開閉アシスト機構は扉への掘り込み加工が必要であるため施工が困難である。
【課題を解決するための手段】
【０００８】
実施形態にかかる開閉ユニットは、折曲により開閉する折戸に設けられる開閉ユニットであって、前記折戸の折曲部の両側を連結するとともに曲変形可能な連結部材と、前記折戸を展開状態に保持するとともに前記保持が解除可能に構成されたロック機構と、を備える。
【発明の効果】
【０００９】
本発明によれば、容易な開閉操作を実現できるとともに、設計上の制約を減らし高い施工性を確保できる。
【図面の簡単な説明】
【００１０】
【図１】本発明の第１実施形態にかかる開閉ユニットを備えた折戸を示す説明図。
【図２】同実施形態にかかる開閉ユニットの構成を示す分解斜視図。
【図３】同実施形態にかかる開閉ユニットの斜視図。
【図４】同実施形態にかかる開閉ユニットおよび折戸の動作を示す説明図。
【図５】本発明の第２実施形態にかかる開閉ユニットの第１状態を示す斜視図。
【図６】同実施形態にかかる開閉ユニットの第２状態を示す斜視図。
【図７】同実施形態にかかる開閉ユニットの構成を示す分解斜視図。
【図８】同実施形態にかかる開閉ユニットおよび折戸の動作を示す説明図。
【図９】同実施形態にかかる開閉ユニットおよび折戸の動作を示す説明図。
【図１０】同実施形態にかかる開閉ユニットおよび折戸の動作を示す説明図。
【図１１】本発明の他の実施形態にかかる開閉ユニットを備えた折戸を示す斜視図。
【発明を実施するための形態】
【００１１】
[第１実施形態]
以下、本発明の第１実施形態かかる折戸１０及び開閉ユニット３０について、図１乃至図４を参照して説明する。各図中矢印Ｘ，Ｙ，Ｚはそれぞれ互いに直交する３方向を示す。また、各図において説明のため、適宜構成を拡大、縮小または省略して示している。
【００１２】
本実施形態では、図１に示すように一対の戸板１１，１１を有する折戸１０が、一つの戸枠２０内に２つ設けられている例を示す。
【００１３】
戸枠２０は矩形状の枠であって、上下のフレームにはスライド方向（Ｘ方向）に沿うレール２１がそれぞれ設けられている。
【００１４】
各折戸１０は互いに回動可能に連結された一対の戸板１１を有し、連結部で折曲変形可能に構成されている。一対の戸板１１は戸枠２０に対応する所定寸法の矩形の板部材であり、Ｚ方向に沿う回動軸Ｃ１を介して互いに回動可能に連結されている。一対の戸板１１の連結部である折曲部には、ヒンジ機構１３と、プッシュオープン式の開閉ユニット３０と、が設けられている。
【００１５】
各戸板１１の連結側の内側端縁とは反対側の外側端縁の上下端部には、レール２１に対して走行可能に係合するローラ１４が設けられている。このローラ１４とレール２１の係合によって、戸板１１の一端が戸枠のレール２１に走行可能に支持されている。
【００１６】
図２及び図３に示すように、開閉ユニット３０は、折曲変形可能な連結部材３１と、折戸１０を展開状態に保持するロック機構としてのプッシュラッチ機構４３と、折戸１０が折曲される方向に付勢する付勢機構としてのばね部材４４と、を備えている。
【００１７】
連結部材３１は、折戸１０の折曲部の両側で戸板１１の内側面１１ａにそれぞれ固定される一対の固定片３５、３６と、一対の固定片３５、３６にそれぞれ回動可能に連結されるとともに互いに回動可能に連結される一対の連結片３７，３８と、これらの片３５〜３８を互いに回動可能に連結する一対の回動軸Ｃ２及び回動軸Ｃ３を備えて構成されている。連結部材３１は各片３５〜３８の回動によって折曲変形可能であって、連結部材３１の折曲状態の変化に連動して折戸１０が開閉する。
【００１８】
固定片３５，３６は例えば樹脂成形品で構成された矩形板状の部材であって、回動軸Ｃ１を挟んで両側の一対の戸板１１にそれぞれ固定されている。固定片３５，３６の上下端縁から立設する取付片３５ａ，３６ａが一体に形成されている。固定片３５,３６の外側端部において取付片３５ａ，３６ａにＺ方向に沿う回動軸Ｃ２が挿入される軸孔３５ｂが形成されている。
【００１９】
一方の固定片３５には、プッシュラッチ機構４３を構成するストライカ４１が一体に設けられている。ストライカ４１は固定片３５の所定位置から突出形成され、閉戸時に固定片３５に対向する連結片３７のラッチ４２に挿入係合するように構成されている。
【００２０】
連結片３７，３８は例えば樹脂成形品で構成された矩形板状部材であって、上下端縁に立設した取付片３７ａ，３８ａが一体に形成されている。連結片３７，３８の一端側において取付片３７ａ，３８ａに、回動軸Ｃ２が通る軸孔３７ｂ，３８ｂが形成されている。連結片３７、３８は一対の固定片３５，３６の外側端部にそれぞれ回動軸Ｃ２を介して回動可能に連結される。
【００２１】
一対の連結片３７，３８の他端側にはＺ方向に沿う回動軸Ｃ３が挿入される軸孔３７ｄ，３８ｄが形成されている。一対の連結片３７，３８はその他端同士が回動軸Ｃ３を介して回動可能に連結される。
【００２２】
一方の連結片３７の所定箇所にはラッチ取付孔３７ｆが形成されている。ラッチ取付孔３７ｆには、ストライカ４１と係合可能に構成されたラッチ４２が挿入固定されて取り付けられる。
【００２３】
ラッチ４２は、戸板１１の押圧操作に伴う相対位置の変位によりストライカ４１との係合状態が切り替え可能に構成されている。連結片３７に設けられたラッチ４２と固定片３５に設けられたストライカ４１とでプッシュオープン式のプッシュラッチ機構４３を構成する。
【００２４】
プッシュラッチ機構４３は、戸板１１の押圧操作に伴いラッチ４２にストライカ４１と相対移動することで、係合状態が切り替えられるように構成されている。閉戸動作において戸板１１の押圧により係合解除状態からストライカ４１がラッチ４２に挿入されると、ストライカ４１がラッチ４２に補足されて係合し、開戸動作において戸板１１の押圧により係合状態からストライカ４１がさらにラッチ４２側に押圧されることによりその係合が解除されるように構成されている。
【００２５】
一方の固定片３５と連結片３７との連結部分には付勢機構を構成するばね部材４４が設けられている。ばね部材４４はねじりコイルばねであって、筒状のコイル部４４ａが回動軸Ｃ２の外周に装着され、その上下端の付勢片４４ｂ，４４ｃがそれぞれ連結片３７及び固定片３５の対向面に当接して付勢することで、固定片３５及び戸板１１と連結片３７との間の角度が広がる方向に付勢する。すなわち、ばね部材４４は、折戸１０が折り畳まれて戸枠２０を開放する開戸方向に、常時付勢する。
【００２６】
連結部材３１は、戸板１１の内側面に固定片３５,３６がボルトＢ等で固定された状態で、一対の戸板１１と、一対の固定片３５,３６と、一対の連結片３７、３８とで、菱形状の空間を囲むリンク機構を構成し、各片３５〜３８が回動するとともに回動軸Ｃ１〜Ｃ３が移動し、Ｙ方向及びＸ方向において伸縮するように変形することで、図４に示す第１状態と第２状態とを切り替え可能である。
【００２７】
図４に示すように、開閉ユニット３０の連結部材３１がＸ方向に延びる第１状態では、一対の連結片３７,３８間の屈曲角が大きく展開され、連結片３７,３８と固定片３５、３６との間の屈曲角が小さくなる。この時、一対の固定片３５、３６と共に戸板１１が展開して戸枠を塞ぐ閉戸状態となるとともに、ストライカ４１がラッチ４２に挿入され係合する。
【００２８】
開閉ユニット３０の連結部材３１がＹ方向に延びる第２状態では、一対の連結片３７,３８間の屈曲角度が小さく、連結片３７,３８と固定片３５、３６との間の屈曲角度が大きくなる。この時、一対の固定片３５、３６と共に戸板１１が折りたたまれて戸枠２０内の空間Ｓ１を開放する開戸状態となる。
【００２９】
以下、本実施形態にかかる折戸１０の開閉動作について図４を参照して説明する。図４に示すように、第１状態では、一対の固定片３５,３６と連結片３７,３８、及び戸板１１,１１がレール２１に沿って配され、Ｘ方向に延びている。このとき、固定片３５と連結片３７にそれぞれ設けられ互いに対向するラッチ４２とストライカ４１とが係合し、第１状態が保持されている。
【００３０】
第１状態において戸板１１の連結部分近傍の外側面を押圧すると、係合状態のプッシュラッチ機構４３のストライカ４１及びラッチ４２の係合が解除される。
【００３１】
プッシュラッチ機構４３の係合が解除されると、第１状態への保持が解除され、連結部材３１が変形可能な状態になる。したがって、ばね部材４４の付勢力によって、回動軸Ｃ２を中心とした固定片３５及び連結片３７間の角度が広がる方向に付勢され、回動軸Ｃ１を中心とした一対の固定片３５,３６間の角度、及び回動軸Ｃ３を中心とした一対の連結片３７,３８間の角度が小さくなるとともに連結部材３１がＹ方向に延びるように伸縮変形することで、第２状態となる。これに伴い、一対の戸板１１，１１が折り畳まれるように回動し、レール２１に対して戸板１１が起立した姿勢になることで、戸枠２０に囲まれた空間Ｓ１を開放する開戸状態となる。
【００３２】
第２状態から、操作者が手指等で戸板１１を戸枠２０の奥方に押圧すると、回動軸Ｃ２を中心として固定片３５及び連結片３７間の角度が小さくなり、回動軸Ｃ１を中心として一対の固定片３５間の角度、及び回動軸Ｃ３を中心として一対の連結片３７,３８間の角度が大きくなるように、連結部材３１が伸縮変形し、第１状態となる。同時に、一対の戸板１１，１１が展開するように回動し、戸板１１がレール２１に沿う姿勢になることで、戸枠２０に囲まれた空間Ｓ１を閉塞する閉戸状態となる。このとき、所定位置に至るとストライカ４１がラッチ４２に挿入されて係合することで、第１状態が保持される。
【００３３】
本実施形態によれば、単純な構成でプッシュオープン式の開閉操作を実現できる。したがって、戸板１１の外側面の取っ手を省略することが可能となり、設計上の制約を減らし、フラットデザイン化が実現可能となる。
【００３４】
また、本実施形態に係る開閉ユニット３０は、戸板１１の内面の所定位置にねじ止めするだけの簡単な取付でプッシュオープン機能を確保できる。したがって、戸板１１の掘り込み加工が不要で、既存の戸板の基本構成を変更することなく後付けが可能であり、高い施工性が確保できる。
【００３５】
また、プッシュラッチ機構４３のストライカ４１及びラッチ４２は連結部材３１の内側に突出する構成としたため、外部に露出しないので、デザイン性や安全性が高い。
【００３６】
[第２実施形態]
以下、本発明の第２実施形態かかる折戸１０及び開閉ユニット１３０について、図５乃至図１０を参照して説明する。各図中矢印Ｘ，Ｙ，Ｚはそれぞれ互いに直交する３方向を示す。また、各図において説明のため、適宜構成を拡大、縮小または省略して示している。なお、本実施形態では、ロックユニット５０が係合された状態で、折戸に折曲方向に所定以上の荷重が加わった際に、連結片３７とロックユニット５０とを離脱可能とする係合手段を備えることとしたが、その他の特徴については、上記第１実施形態と同様であるため、共通する部分の説明を省略する。
【００３７】
図５乃至図７に示すように、開閉ユニット１３０は、折曲変形可能な連結部材３１と、折戸１０を展開状態に保持するロック機構としてのロックユニット５０と、折戸１０が折曲される方向に付勢する付勢機構としてのばね部材４４と、連結部材３１とロックユニット５０とを離脱可能とする分離ユニット６０と、を備えている。なお、図５乃至図７の斜視図において説明のため折戸１０を一部切欠し、開閉ユニット１３０近傍のみを示している。
【００３８】
連結部材３１は、折戸１０の折曲部の両側で戸板１１の内側面１１ａにそれぞれ固定される一対の固定片３５、３６と、一対の固定片３５、３６にそれぞれ回動可能に連結されるとともに互いに回動可能に連結される一対の連結片３７，３８と、これらの固定片及び連結片３５〜３８を互いに回動可能に連結する一対の回動軸Ｃ２及び回動軸Ｃ３を備えて構成されている。連結部材３１は各片３５〜３８の回動によって折曲変形可能であって、連結部材３１の折曲状態の変化に連動して折戸１０が開閉する。
【００３９】
固定片３５，３６は例えば樹脂成形品や金属で構成された矩形板状の部材であって、回動軸Ｃ１を挟んで両側の一対の戸板１１にそれぞれ固定されている。固定片３５，３６の上下端縁から立設する取付片３５ａ，３６ａが一体に形成されている。固定片３５,３６の外側端部において取付片３５ａ，３６ａにＺ方向に沿う回動軸Ｃ２が挿入される軸孔３５ｂが形成されている。
【００４０】
一方の固定片３５には、ロックユニット５０の一部を構成するストライカ５１が一体に設けられている。
【００４１】
他方の固定片３６には、開戸時にストライカ５１に係合する受け部３６ｃが設けられている。受け部３６ｃは例えば一対の爪片３６ｄを有して構成され、連結部材３１の折曲動作に応じて進入するストライカ５１を捕捉する。
【００４２】
連結片３７，３８は例えば樹脂成形品や金属で構成された矩形板状部材であって、上下端縁に立設した取付片３７ａ，３８ａが一体に形成されている。連結片３７，３８の一端側において取付片３７ａ，３８ａに、回動軸Ｃ２が通る軸孔３７ｂ，３８ｂが形成されている。連結片３７、３８は一対の固定片３５，３６の外側端部にそれぞれ回動軸Ｃ２を介して回動可能に連結される。
【００４３】
一対の連結片３７，３８の他端側にはＺ方向に沿う回動軸Ｃ３が挿入される軸孔３７ｄ，３８ｄが形成されている。一対の連結片３７，３８はその他端同士が回動軸Ｃ３を介して回動可能に連結される。第３回動軸Ｃ３の軸周りには、連結片３７，３８間の回動角を規制する規制手段を構成する規制部材７３,７４が装着されている。
【００４４】
一方の連結片３７の所定位置には、調整ねじ７１、７２が挿通される長孔３７ｅ，３７ｅが形成され、長孔３７ｅ、３７ｅにおいて、調整ねじ７１，７２によって分離プレート６１が固定されている。これら長孔３７ｅ、３７ｅと調整ねじ７１，７２とによって連結片３７と分離プレート６１との位置関係を調整することによって寸法誤差が吸収され、高い取付精度で組み付けられるようになっている。また、連結片３７には、連結片３８の係合爪３８ｅと着脱可能に係合する係合片３７ｇが形成されている。
【００４５】
ロックユニット５０は、固定片３５に形成されたストライカ５１と、ラッチユニット５２を備え、プッシュ式のラッチ機構を構成する。戸板１１の押圧操作に伴ってストライカ５１とラッチユニット５２との係合状態が切り替え可能に構成されている。
【００４６】
ストライカ５１は固定片３５の所定位置から突出してフック状に構成され、閉戸時の第１状態では固定片３５に対向する連結片３７側に設けられたラッチユニット５２に係合し、開戸時の第２状態ではラッチユニット５２から離脱して固定片３６に設けられた受け部３６ｃに係合する。
【００４７】
ラッチユニット５２は、固定片３５に対して回動軸Ｃ２によって回動可能に設けられるロックプレート５３と、ロックプレート５３に回動可能に設けられたカム５４と、ロックプレート５３に対してＸ方向にスライド可能に設けられたスライダ５５と、開閉によりスライダ５５に設けられた突起体５５ａを捕捉あるいは解放する挟持体５６と、を備えている。
【００４８】
ロックプレート５３は分離プレート６１の内側に重ねて配置され分離プレート６１と分離可能に係合している。ロックプレート５３の軸方向両側の端縁には、分離プレート６１の取付片６１ａの内側に重なるように立設された取付片５３ａが設けられ、この取付片５３ａの一端には回動軸Ｃ２が挿通される取付孔５３ｂが形成されている。上下の取付片５３ａの他端側の所定位置には、係合手段を構成する係合凹部５３ｃがそれぞれ形成されている。係合凹部５３ｃは例えば矩形状の凹みで構成され、分離プレート６１の係合突起６１ｃが嵌合し、あるいは抜け出ることで、係合突起６１ｃと係合及び係合解除可能に構成されている。
【００４９】
ロックプレート５３にはカム５４が回動可能に支持されている。カム５４は連結片３７側に向かって突出しており、戸板１１が押圧されて移動するのに伴い矢印Ａ３に示すように回動するように構成されている。
【００５０】
スライダ５５には、カム５４の先端部５４ａを受ける受け面５５ｃが形成され、カム５４の回動に伴って矢印Ａ４に示すようにスライド移動するように構成されている。スライダ５５のスライド方向先端には突起体５５ａが設けられており、スライダ５５の移動に伴って進退動する。挟持体５６は突起体５５ａの進退動に伴って開閉動作することで、突起体５５ａを捕捉し、あるいは突起体５５ａを解放するように構成されている。スライダ５５のスライド方向基端にはストライカ５１と係合または係合解除される係合部５５ｂが設けられている。
【００５１】
分離ユニット６０は、連結片３７の内側に重なるように設けられた分離プレート６１を備えている。分離プレート６１は回動軸Ｃ２を中心に回動可能に設けられている。分離プレート６１の軸方向両側の端縁には、連結片３７の取付片３７ａの内側に重なるように立設された取付片６１ａが設けられ、この取付片６１ａの一端には回動軸Ｃ２が挿通される軸孔６１ｂが形成されている。取付片６１ａの他端側の所定位置には、係合手段を構成する係合突起６１ｃが形成されている。
【００５２】
係合突起６１ｃは内側に重なるロックプレート５３に向けて突出するように断面Ｖ字状に曲成されている。係合突起６１ｃがロックプレート５３の係合凹部５３ｃに嵌合することでロックプレート５３と分離プレート６１を一体に保持している。また、係合突起６１ｃは折戸１０が折り畳まれる方向に荷重が作用することによって係合凹部５３ｃから抜け出ることでロックプレート５３と分離プレート６１とを分離するように構成されている。
【００５３】
ロックプレート５３側の係合凹部５３ｃと、分離プレート６１側の係合突起６１ｃによって係合手段が構成されている。この係合手段によって、ロックユニット５０が係合された状態で、折戸１０に折曲方向に所定以上の荷重が加わった際に、連結片３７とロックユニット５０とが離脱可能になっている。
【００５４】
一方の固定片３５と連結片３７との連結部分には付勢機構を構成するばね部材４４が設けられている。ばね部材４４はねじりコイルばねであって、筒状のコイル部４４ａが回動軸Ｃ２の外周に装着され、その上下端の付勢片４４ｂ，４４ｃがそれぞれ連結片３７及び固定片３５の対向面に当接して付勢することで、固定片３５及び戸板１１と連結片３７との間の角度が広がる方向に付勢する。すなわち、ばね部材４４は、折戸１０が折り畳まれて戸枠２０を開放する開戸方向に、常時付勢する。
【００５５】
連結部材３１は、戸板１１の内側面に固定片３５,３６が固定された状態で、一対の戸板１１と、一対の固定片３５,３６と、一対の連結片３７、３８とで、菱形状の空間を囲むリンク機構を構成し、各片３５〜３８が回動するとともに回動軸Ｃ１〜Ｃ３が移動し、Ｙ方向及びＸ方向において伸縮するように変形することで、図５及び図８に示す第１状態と図６及び図９に示す第２状態とで切り替え可能になっている。
【００５６】
以下、本実施形態にかかる折戸１０の開閉動作について図５乃至図１０を参照して説明する。図５及び８に示す第１状態では、一対の固定片３５,３６と連結片３７,３８、及び戸板１１,１１がレール２１に沿って配され、Ｘ方向に延びている。第１状態では開閉ユニット３０の連結部材３１がＸ方向に延び、一対の連結片３７,３８間の屈曲角が大きく展開され、連結片３７,３８と固定片３５、３６との間の屈曲角が小さくなる。一対の固定片３５、３６と共に戸板１１が展開して戸枠を塞ぐ閉戸状態となるとともに、ロックユニット５０においてはストライカ５１がラッチユニット５２に係合して捕捉され、ロック状態が維持されている。
【００５７】
開戸動作として、第１状態から、戸板１１の連結部分近傍の外側面を押圧すると、ストライカ５１が矢印Ａ１で示すようにＹ方向に移動するとともに、カム５４の基端部５４ｂが矢印Ａ２で示すようにＹ方向に移動し、カム５４の先端部５４ａが矢印Ａ３で示すように図中時計回りに回動する。この移動に伴いスライダ５５が矢印Ａ４で示すようにＸ方向に移動する。このスライダ５５の移動により、フック状のストライカ５１と係合していたスライダ５５の係合部５５ｂがストライカ５１から退避してストライカ５１との係合が解除される。また、スライダ５５のスライド移動に伴って、スライダ５５の先端に設けられた突起体５５ａが挟持体５６に進入することで、挟持体５６に捕捉され、ロックユニット５０のロック解除状態が維持される。
【００５８】
ロックユニット５０の係合が解除されると、連結部材３１の第１状態への保持が解除され、連結部材３１が変形可能な状態になる。したがって、ばね部材４４の付勢力によって、回動軸Ｃ２を中心とした固定片３５及び連結片３７間の角度が広がる方向に付勢され、回動軸Ｃ１を中心とした一対の固定片３５,３６間の角度、及び回動軸Ｃ３を中心とした一対の連結片３７,３８間の角度が小さくなるとともに連結部材３１がＹ方向に延びるように伸縮変形することで、図６及び図９に示される第２状態となる。
【００５９】
第２状態では、一対の戸板１１，１１が折り畳まれるように回動し、レール２１に対して戸板１１が起立した姿勢になることで、戸枠２０に囲まれた空間Ｓ１を開放する開戸状態となる。第２状態において、一対の連結片３７,３８間の屈曲角度が小さく、連結片３７,３８と固定片３５、３６との間の屈曲角度が大きくなる。この時、ストライカ５１が受け部３６ｃに捕捉され、連結片３８の係合爪３８ｃが連結片３７の係合片３７ｇに係合することで、開戸状態が維持される。
【００６０】
第２状態から、操作者が手指等で戸板１１を戸枠２０の奥方に押圧すると、回動軸Ｃ２を中心として固定片３５及び連結片３７間の角度が小さくなり、回動軸Ｃ１を中心として一対の固定片３５間の角度、及び回動軸Ｃ３を中心として一対の連結片３７,３８間の角度が大きくなるように、連結部材３１が伸縮変形する。同時に、一対の戸板１１，１１が展開するように回動し、戸板１１がレール２１に沿う姿勢になることで、戸枠２０に囲まれた空間Ｓ１を閉塞する閉戸状態となる。このとき、所定位置に至るとストライカ５１がラッチユニット５２に挿入されて係合することで、第１状態が保持される。また戸板１１の押圧によって、カム５４が再び回動してスライダ５５が左方へ移動することで、突起体５５ａが挟持体５６に捕捉された状態からさらに先方へ進入する。この進入動作に伴いプッシュオープン式の挟持体５６が開き、突起体５５ａが解放され、挟持体５６に内蔵された付勢機構による反動でスライダ５５は図中右方に戻される。このスライド動作に伴いストライカ５１が再びスライダ５５の係合部５５ｂに係合し、第１状態となる。
【００６１】
図９に示すように、第１状態において、操作者が手指等で戸板１１の内側から戸板１１を押圧し、折戸１０が折り畳まれる方向に荷重が作用すると、ロックユニット５０が係合状態のまま、ロックプレート５３と分離プレート６１とが分離する第３状態となる。
【００６２】
すなわち、第１状態で戸板１１が折り畳まれる方向に押圧されると、戸板１１に固定された固定片３５が折り畳み方向に移動するとともに固定片に設けられたストライカ５１を捕捉するラッチユニット５２とロックプレート５３もＹ方向に移動する。なお、連結片３７と連結片３８との間の回動角は規制部材７３，７４で構成される規制手段によって規制されており、第３回動軸Ｃ３が第１状態よりも戸板１１側に移動するような回動が防止されている。
【００６３】
戸板１１を折り畳み方向に押圧する力により、戸板１１及び戸板１１に固定された固定片３５と、連結片３７とが互いに離間する力が作用する。連結片３７に固定された分離プレート６１と、ロックユニット５０により固定片３５に捕捉されたロックプレート５３とは、第１状態においては係合突起６１ｃと係合凹部５３ｃとで係合しており、戸板１１を押圧する操作力によって、係合突起６１ｃが係合凹部５３ｃから抜け出ることでロックプレート５３と分離プレート６１とが分離する。
【００６４】
この係合手段の係合解除に伴い第２回動軸Ｃ２を中心としてロックプレート５３と分離プレート６１とが展開するように回動可能になることで、ロック状態のまま内側から戸板１１を折り畳む開戸動作が可能となる。
【００６５】
分離プレート６１の分離によって開戸された第３状態から、戸板１１を外側から閉戸方向に押圧して所定位置に至ると再び分離プレート６１とロックプレート５３が係合し、第１状態に復帰する。
【００６６】
本実施形態においても、第１実施形態と同様の効果が得られる。さらに、係合手段の係合解除によって分離プレート６１とロックユニット５０とが離脱する分離機構を設けたことにより、内側からも戸を開けることが可能となる。したがって、例えば開閉ユニット１３０に手が届かない子供が内側に閉じ込められた場合等であっても内側から戸板１１を押すことで、ロックを外すことなく戸を開けて脱出することが可能となる。
【００６７】
なお、本発明は前記実施の形態に限定されるものではなく、本発明の要旨を逸脱しない範囲で種々変形実施可能である。また、各部の具体的構成や材質等は上記実施形態に例示したものに限られるものではなく適宜変更可能である。
【００６８】
例えば上記実施形態においては、連結部材３１は、戸板１１，１１に取り付けられた一対の固定片３５、３６と、一対の連結片３７，３８を回動可能に連結することにより曲変形可能な構成としたが、これに限られるものではなく、例えば所定位置で曲げ変形可能な各種部材を用いてもよい。
【００６９】
固定片３５,３６を省略して連結片３７,３８を直接戸板１１に回動可能に連結することも可能である。この場合には、連結片３７,３８と戸板１１との角度が広がるように付勢するばね部材を設け、戸板１１と連結片３７とを係合または係合解除するロック機構を設けることで、上記実施形態と同様の効果が得られる。
【００７０】
付勢機構やロック機構は上記実施形態のばね部材４４やプッシュラッチ機構４３、ロックユニット５０に限られるものではなく他の各種の付勢機構及び係合機構を用いることができる。
【００７１】
例えば上記第１及び第２実施形態では、固定片３５、３６及び連結片３７、３８が軸に関して同じ位置に並ぶように配列される例を示したが、これに限られるものではない。例えば他の実施形態として図１１に示す開閉ユニット２３０のように、固定片３５と固定片３６、及び連結片３７と連結片３８を、それぞれ軸方向において異なる位置にずらして配置することも可能である。この場合には、第２状態における部材間の干渉を回避でき、折戸１０の折り畳み角度を小さくしてコンパクトに構成できる。
【００７２】
さらに、上記実施形態の構成要件のうち一部を省略しても本発明を実現可能である。
【符号の説明】
【００７３】
１０…折戸、１１…戸板、１３…ヒンジ機構、１４…ローラ、２０…戸枠、２１…レール、３０…開閉ユニット、３１…連結部材、３５．３６…固定片、３７．３８…連結片、４１…ストライカ、４２…ラッチ、４３…プッシュラッチ機構（ロック機構）、４４…ばね部材（付勢機構）、Ｂ…ボルト、Ｃ１〜Ｃ３…回動軸、１３０…開閉ユニット、５０…ロックユニット（ロック機構）、５１…ストライカ、５２…ラッチユニット（ラッチ機構）、５３…ロックプレート、５３ｃ…係合凹部（係合手段）、６０…分離ユニット、６１…分離プレート、６１ｃ…係合突起（係合手段）、２３０…開閉ユニット。
【図１】
2014029103.tif 000003
【図２】
2014029103.tif 000004
【図３】
2014029103.tif 000005
【図４】
2014029103.tif 000006
【図５】
2014029103.tif 000007
【図６】
2014029103.tif 000008
【図７】
2014029103.tif 000009
【図８】
2014029103.tif 000010
【図９】
2014029103.tif 000011
【図１０】
2014029103.tif 000012
【図１１】
2014029103.tif 000013